(57)【要約】【課題】製造コストの上昇や利便性の低下を招くことなく、マイグレーションの発生を抑制すると共に、タッチ位置検出の高速化を図る。【解決手段】所定の基準電位Ｖｒｅｆを与えて受信電極３からの充放電電流信号を電圧信号に変換するＩＶ変換部３１を有し、受信電極の選択時にＩＶ変換部と通電されることでその受信電極に基準電位と同一の選択時電位Ｖｒａが与えられ、この選択時電位が、受信電極の非選択時にその受信電極に与えられる非選択時電位Ｖｒｂと略同一となるようにする。さらに、送信電極２の非選択時にその送信電極に与えられる非選択時電位Ｖｓｂと、受信電極の選択時電位及び非選択時電位とが略同一となるようにする。特に、受信電極の選択時電位及び非選択時電位と、送信電極の非選択時電位とが共に、接地電位となるようにする。【選択図】図８
2011243081.tif 000002
【特許請求の範囲】
【請求項１】
タッチ面を備え、互いに並走する複数の送信電極及び互いに並走する複数の受信電極が格子状に配置されたパネル本体と、
前記複数の送信電極から送信すべき電極を選択して駆動信号を印加する送信部と、
前記複数の受信電極から受信すべき電極を選択して前記駆動信号に応答した充放電電流信号を受信して電極交点ごとのレベル信号を出力する受信部と、
前記受信部から出力されるレベル信号に基づいてタッチ位置を検出すると共に前記送信部及び前記受信部の動作を制御する制御部と、を有し、
前記受信部は、所定の基準電位を与えて前記受信電極からの充放電電流信号を電圧信号に変換するＩＶ変換部を有し、前記受信電極の選択時に前記ＩＶ変換部と通電されることでその受信電極に前記基準電位と同一の選択時電位が与えられ、この選択時電位が、前記受信電極の非選択時にその受信電極に与えられる非選択時電位と略同一となるようにしたことを特徴とするタッチパネル装置。
【請求項２】
前記送信電極の非選択時にその送信電極に与えられる非選択時電位と、前記受信電極の選択時電位及び非選択時電位とが略同一となるようにしたことを特徴とする請求項１に記載のタッチパネル装置。
【請求項３】
前記受信電極の選択時電位及び非選択時電位と、前記送信電極の非選択時電位とが共に、接地電位であることを特徴とする請求項２に記載のタッチパネル装置。
【請求項４】
前記ＩＶ変換部は、２電源方式のオペアンプを有し、このオペアンプに前記基準電位として接地電位が与えられることを特徴とする請求項１乃至請求項３のいずれかに記載のタッチパネル装置。
【発明の詳細な説明】
【技術分野】
【０００１】
本発明は、電極が格子状に配置されて、タッチ操作に応じた静電容量の変化に伴う電極の出力信号の変化に基づいてタッチ位置を検出する静電容量方式のタッチパネル装置、特に送信電極を１本ずつ選択しながら駆動信号を印加し、その駆動信号に応答した充放電電流信号を受信電極を１本ずつ選択しながら受信する相互容量方式のタッチパネル装置に関するものである。
【背景技術】
【０００２】
タッチパネル装置には、タッチ位置を検出する原理が異なる種々の方式があるが、抵抗膜方式や静電容量方式のように多数の電極をパネル内に配設した構成のものでは、電極間にバイアス電圧が印加された状態が長期間継続すると、電極近傍の電解現象等によって電流が流れる現象、いわゆるマイグレーションが発生し、このマイグレーションを放置すると電極間を短絡させる障害を発生させ、製品寿命の低下やシステムの信頼性の低下を招くことから、有効なマイグレーション対策が望まれる。
【０００３】
特にタッチ操作に応じた静電容量の変化に伴う電極の出力信号の変化に基づいてタッチ位置を検出する静電容量方式のタッチパネル装置において、絶縁性の支持シートの表裏に送信電極及び受信電極を配設した構成のものでは、支持シートに存在するピンホール等が原因で、支持シートを挟んだ表裏の送信電極と受信電極との間でマイグレーションが発生することがある。
【０００４】
このようなタッチパネル装置に関するマイグレーション対策に関して、従来、抵抗膜方式のタッチパネル装置において、マイグレーションの原因となるバイアス電圧を、メカニカルスイッチによりタッチ操作が検出された時点で印加する技術が知られている（特許文献１参照）。また、抵抗膜方式のタッチパネル装置において、使用環境がマイグレーションが発生する状態となると、タッチ位置の検出処理を停止する技術が知られている（特許文献２参照）。
【先行技術文献】
【特許文献】
【０００５】
【特許文献１】特開２０００−２８４９１１号公報
【特許文献２】特開２００６−３９９２７号公報
【発明の概要】
【発明が解決しようとする課題】
【０００６】
ところで、タッチパネル装置は、パソコンや携帯情報端末の分野で広く普及しているが、このタッチパネル装置を、大画面の表示装置と組み合わせることで、多人数を対象にしたプレゼンテーションや講義で使用することができるようにした、いわゆるインタラクティブホワイトボードとして用いることができる。
【０００７】
しかしながら、前記従来の技術のようにメカニカルスイッチでタッチ操作を検出する構成では、タッチパネル装置が大型化すると、メカニカルスイッチでタッチ操作を検出する機構を実現することが難しくなり、製造コストが大幅に上昇するという課題が生じる。
【０００８】
一方、前記従来の技術のように使用環境に応じてタッチ位置の検出処理を停止する構成では、マイグレーションそのものを抑制することができず、またマイグレーションを十分に抑制するために、タッチ位置の検出処理を許容する環境条件を狭く限定すると、使用不能な事態が頻繁に発生するようになり、ユーザの使用に支障を来すことから、利便性の低下を招くという課題が生じる。
【０００９】
また、タッチパネル装置では、例えば描画モードでユーザが指を動かした際の指の軌跡に沿って線が描画されるが、指の動きが早過ぎてタッチ位置の検出が指の動きに追随することができないと、線が途切れた状態で描画される不具合が生じ、使い勝手が低下する。このため、ユーザが指を素早く動かした場合にもタッチ位置の検出を指の動きに追随させることができようにタッチ位置の検出を高速に行うことができる構成が望まれる。
【００１０】
本発明は、このような従来技術の問題点を解消するべく案出されたものであり、その主な目的は、製造コストの上昇や利便性の低下を招くことなく、マイグレーションの発生を抑制すると共に、タッチ位置検出の高速化を図ることができるように構成されたタッチパネル装置を提供することにある。
【課題を解決するための手段】
【００１１】
本発明のタッチパネル装置は、タッチ面を備え、互いに並走する複数の送信電極及び互いに並走する複数の受信電極が格子状に配置されたパネル本体と、前記複数の送信電極から送信すべき電極を選択して駆動信号を印加する送信部と、前記複数の受信電極から受信すべき電極を選択して前記駆動信号に応答した充放電電流信号を受信して電極交点ごとのレベル信号を出力する受信部と、前記受信部から出力されるレベル信号に基づいてタッチ位置を検出すると共に前記送信部及び前記受信部の動作を制御する制御部と、を有し、前記受信部は、所定の基準電位を与えて前記受信電極からの充放電電流信号を電圧信号に変換するＩＶ変換部を有し、前記受信電極の選択時に前記ＩＶ変換部と通電されることでその受信電極に前記基準電位と同一の選択時電位が与えられ、この選択時電位が、前記受信電極の非選択時にその受信電極に与えられる非選択時電位と略同一となるようにした構成とする。
【発明の効果】
【００１２】
本発明によれば、受信電極の選択時電位と非選択時電位とが略同一となるため、選択状態にある受信電極とこれに隣り合う非選択状態にある受信電極との間に大きな電位差が生じないため、マイグレーションの発生を抑制することができる。また、受信電極の選択時電位と非選択時電位とが略同一となるため、受信電極の選択状態を切り換える際に受信電極に大きな電位差が生じないため、受信電極の選択切換時の切換ノイズを小さく抑えて、受信電極の選択切換の動作を高速化することができる。これにより製造コストの上昇や利便性の低下を招くことなく、マイグレーションの発生を抑制すると同時に、タッチ位置検出の高速化を図ることができる。
【図面の簡単な説明】
【００１３】
【図１】本発明によるタッチパネル装置を示す全体構成図
【図２】図１に示した送信部の概略構成図
【図３】図１に示した受信部の概略構成図
【図４】図３に示した受信信号処理部の概略構成図
【図５】図４に示したＩＶ変換部の構成を示す回路図
【図６】図１に示した送信電極及び受信電極の選択状態及び非選択状態での電位を示す図
【図７】図１に示した送信電極に印加される駆動信号、受信部でのＩＶ変換後の出力信号、及び受信部での処理タイミングを規定する制御信号を示す波形図
【図８】図１に示した送信電極及び受信電極の電位の状況を示す模式図
【発明を実施するための形態】
【００１４】
上記課題を解決するためになされた第１の発明は、タッチ面を備え、互いに並走する複数の送信電極及び互いに並走する複数の受信電極が格子状に配置されたパネル本体と、前記複数の送信電極から送信すべき電極を選択して駆動信号を印加する送信部と、前記複数の受信電極から受信すべき電極を選択して前記駆動信号に応答した充放電電流信号を受信して電極交点ごとのレベル信号を出力する受信部と、前記受信部から出力されるレベル信号に基づいてタッチ位置を検出すると共に前記送信部及び前記受信部の動作を制御する制御部と、を有し、前記受信部は、所定の基準電位を与えて前記受信電極からの充放電電流信号を電圧信号に変換するＩＶ変換部を有し、前記受信電極の選択時に前記ＩＶ変換部と通電されることでその受信電極に前記基準電位と同一の選択時電位が与えられ、この選択時電位が、前記受信電極の非選択時にその受信電極に与えられる非選択時電位と略同一となるようにした構成とする。
【００１５】
これによると、受信電極の選択時電位と非選択時電位とが略同一となるため、選択状態にある受信電極とこれに隣り合う非選択状態にある受信電極との間に大きな電位差が生じないため、マイグレーションの発生を抑制することができる。また、受信電極の選択時電位と非選択時電位とが略同一となるため、受信電極の選択状態を切り換える際に受信電極に大きな電位差が生じないため、受信電極の選択切換時の切換ノイズを小さく抑えて、受信電極の選択切換の動作を高速化することができる。これにより製造コストの上昇や利便性の低下を招くことなく、マイグレーションの発生を抑制すると同時に、タッチ位置検出の高速化を図ることができる。
【００１６】
また、第２の発明は、前記第１の発明において、前記送信電極の非選択時にその送信電極に与えられる非選択時電位と、前記受信電極の選択時電位及び非選択時電位とが略同一となるようにした構成とする。
【００１７】
これによると、送信電極の非選択時電位が、受信電極の選択時電位及び非選択時電位と略同一となるため、送信電極が非選択状態となる期間では、送信電極と受信電極との間には電位差が発生せず、また、送信電極が選択状態となる期間では、送信電極と受信電極との間及び隣り合う送信電極間で電位差が生じるが、この期間は極めて短時間となるため、マイグレーションの発生を大幅に抑制することができる。
【００１８】
また、第３の発明は、前記第２の発明において、前記受信電極の選択時電位及び非選択時電位と、前記送信電極の非選択時電位とが共に、接地電位である構成とする。
【００１９】
これによると、送信部及び受信部の所要の端子を接地させるだけで済むため、構成を簡素化することができる。
【００２０】
また、第４の発明は、前記第１乃至第３の発明において、前記ＩＶ変換部は、２電源方式のオペアンプを有し、このオペアンプに前記基準電位として接地電位が与えられる構成とする。
【００２１】
これによると、基準電位を接地電位とすることで、０Ｖを中心にして正負に振幅する電圧信号を得ることができる。
【００２２】
以下、本発明の実施の形態を、図面を参照しながら説明する。
【００２３】
図１は、本発明によるタッチパネル装置を示す全体構成図である。このタッチパネル装置１は、互いに並走する複数の送信電極２と互いに並走する複数の受信電極３とが格子状に配置されたパネル本体４と、送信電極２に対して駆動信号（パルス信号）を印加する送信部５と、送信電極２に印加された駆動信号に応答した受信電極３の充放電電流信号を受信して、送信電極２と受信電極３とが交差する電極交点ごとのレベル信号を出力する受信部６と、この受信部６から出力されるレベル信号に基づいてタッチ位置を検出すると共に送信部５及び受信部６の動作を制御する制御部７とを備えている。
【００２４】
このタッチパネル装置１は、大画面の表示装置と組み合わせることで、プレゼンテーションや講義に用いることができるようにした、いわゆるインタラクティブホワイトボードとして用いられ、特にここでは、プロジェクタ装置と組み合わせて用いられ、タッチパネル装置１のタッチ面がプロジェクタ用のスクリーンとなる。
【００２５】
タッチパネル装置１から出力されるタッチ位置情報は、パソコンなどの外部機器８に入力され、外部機器８から出力される表示画面データに基づいてプロジェクタ装置９によりタッチパネル装置１のタッチ面上に投影表示される表示画面上に、タッチパネル装置１のタッチ面上でユーザが指示物（ユーザの指先及びスタイラスや指示棒等の導電体）で行ったタッチ操作に対応した画像が表示され、タッチパネル装置のタッチ面にマーカーで直接描画をするのと同様の感覚で所要の画像を表示させることができ、また表示画面に表示されたボタンなどを操作することができる。さらに、タッチ操作で描かれた画像を消去するイレーサを用いることもできる。
【００２６】
送信電極２及び受信電極３は同一の配置ピッチ（例えば１０ｍｍ）で配置されており、その本数はパネル本体４のアスペクト比に応じて異なり、送信電極２が例えば１２０本、受信電極３が例えば１８６本配置される。
【００２７】
送信電極２と受信電極３とは、絶縁層（支持シート）を挟んで重なり合う態様で交差しており、この送信電極２と受信電極３とが交差する電極交点にはコンデンサが形成され、ユーザが指示物でタッチ操作を行うと、これに応じて電極交点の静電容量が実質的に減少することで、タッチ操作の有無を検出することができる。
【００２８】
特にここでは、相互容量方式が採用され、送信電極２に駆動信号を印加すると、これに応答して受信電極３に充放電電流が流れ、このとき、ユーザのタッチ操作に応じて電極交点の静電容量が変化すると、受信電極３の充放電電流が変化し、この充放電電流の変化量を受信部６で電極交点ごとのレベル信号（ディジタル信号）に変換して制御部７に出力し、制御部７では、電極交点ごとのレベル信号に基づいてタッチ位置が算出される。この相互容量方式では、同時に複数のタッチ位置を検出する、いわゆるマルチタッチ（多点検出）が可能である。
【００２９】
制御部７は、受信部６から出力される電極交点ごとのレベル信号から所定の演算処理によってタッチ位置（タッチ領域の中心座標）を求める。このタッチ位置の演算では、Ｘ方向（送信電極２の延在方向）とＹ方向（受信電極３の延在方向）とでそれぞれ隣接する複数（例えば４×４）の電極交点ごとのレベル信号から所要の補間法（例えば重心法）を用いてタッチ位置を求める。これにより、送信電極２及び受信電極３の配置ピッチ（１０ｍｍ）より高い分解能（例えば１ｍｍ以下）でタッチ位置を検出することができる。
【００３０】
図２は、図１に示した送信部５の概略構成図である。送信部５は、駆動信号発生部１１と電極選択部１２とを備えている。駆動信号発生部１１は、制御部７から出力されるタイミング信号に同期して駆動信号（パルス信号）を生成する。電極選択部１２では、送信電極２を１本ずつ選択して、駆動信号発生部１１から出力される駆動信号を送信電極２に順次印加する。
【００３１】
送信電極２の選択時には、駆動信号である最大値Ｖｐ（例えば５Ｖ）のパルス波による選択時電位Ｖｓａが送信電極２に与えられ、送信電極２の電位は、０Ｖと最大値Ｖｐとの間で変化する。一方、送信電極２の非選択時には、接地電位である非選択時電位Ｖｓｂ（０Ｖ）が送信電極２に与えられる。
【００３２】
図３は、図１に示した受信部６の概略構成図である。受信部６は、電極選択部２１と受信信号処理部２２とを備えている。電極選択部２１では、受信電極３ごとにスイッチング素子ＳＷが接続されており、送信電極２の１本に駆動信号を印加する間に、受信電極３を１本ずつ選択して、受信電極３からの充放電電流信号を受信信号処理部２２に順次入力させる。これにより、全ての電極交点ごとの充放電電流信号を取り出すことができる。各スイッチング素子ＳＷは制御部７からの駆動信号に応じて個別に切り換え制御される。
【００３３】
電極選択部２１のスイッチング素子ＳＷは、２つの接点の一方が受信信号処理部２２に接続され、他方が接地されており、受信電極３が受信信号処理部２２に接続される選択状態と、受信電極３が接地される非選択状態との間で切り換えられ、選択状態では受信電極３に選択時電位Ｖｒａが与えられ、非選択状態では受信電極３に接地電位となる非選択時電位Ｖｒｂ（０Ｖ）が与えられる。なお、選択時電位Ｖｒａについては後に詳述する。
【００３４】
受信電極３及び電極選択部２１のスイッチング素子ＳＷは、所定数（例えば２４本）ごとにグループ化され、各グループに属するスイッチング素子ＳＷの互いに対応するもの同士が並行して切り換え制御される。また、各グループごとに受信信号処理部２２が設けられている。各グループでは受信電極３が１つずつ順に選択状態となるようにスイッチング素子ＳＷが制御され、残りのスイッチング素子ＳＷは非選択状態に制御されており、選択状態となる１本の受信電極３の充放電電流信号が受信信号処理部２２に入力される。
【００３５】
このように、スイッチング素子ＳＷのスイッチング動作が複数のグループ間で並行して行われるため、全ての受信電極３の充放電電流信号を受信するのに要する時間を短縮することができる。また、受信部６での充放電電流信号の処理をグループごとに分割して行うことができるため、ハードウエア構成の大型化を抑えることができる。
【００３６】
なお、受信電極３のグループ化では、各グループに属する受信電極３の本数を同一とする必要はなく、例えば受信電極３が１８６本の場合、７つのグループＡ〜Ｇを２４本とし、最後のグループＨを１８本とすればよい。
【００３７】
図４は、図３に示した受信信号処理部２２の概略構成図である。この受信信号処理部２２は、ＩＶ変換部３１と、バンドパスフィルタ３２と、絶対値検出部３３と、積分部３４と、サンプルホールド部３５と、ＡＤ変換部３６とを備えている。
【００３８】
ＩＶ変換部３１では、電極選択部２１を介して入力される受信電極３の充放電電流信号（アナログ信号）が電圧信号に変換される。バンドパスフィルタ３２では、ＩＶ変換部３１の出力信号に対して、送信電極２に印加される駆動信号の周波数以外の周波数成分を有する信号を除去する処理が行われる。絶対値検出部（整流部）３３では、バンドパスフィルタ３２の出力信号に対して全波整流が行われる。積分部３４では、絶対値検出部３３の出力信号を時間軸方向に積分する処理が行われる。サンプルホールド部３５では、積分部３４の出力信号を所定のタイミングでサンプリングする処理が行われる。ＡＤ変換部３６では、サンプルホールド部３５の出力信号をＡＤ変換してレベル信号（ディジタル信号）を出力する。
【００３９】
図５は、図４に示したＩＶ変換部３１の構成を示す回路図である。ＩＶ変換部３１は、オペアンプＯＰＡの反転入力端子と出力端子との間の帰還回路に、互いに並列接続された抵抗成分（帰還抵抗）Ｒと容量成分（位相補償コンデンサ）Ｃとを備えたものであり、微弱電流を感度良く電流電圧変換することができる。
【００４０】
オペアンプＯＰＡは、２電源方式のものであり、電源回路１５から供給される正負の電圧（＋Ｖ，−Ｖ）が印加される。オペアンプＯＰＡの反転入力端子には、電極選択部２１を介して受信電極３からの充放電電流信号が入力される。オペアンプＯＰＡの非反転入力端子には基準電位Ｖｒｅｆが与えられ、特にここでは非反転入力端子が接地されて、基準電位Ｖｒｅｆが接地電位（０Ｖ）となる。これにより０Ｖを中心にして正負に振幅する電圧信号を得ることができる。
【００４１】
このオペアンプＯＰＡでは、イマジナルショートにより、電極選択部２１を介して受信電極３と接続された反転入力端子が、接地された非反転入力端子と同じ電位となる。このため、受信電極３の選択時には、受信電極３がＩＶ変換部３１と通電されることで、接地電位である選択時電位Ｖｒａ（０Ｖ）が受信電極３に与えられる。
【００４２】
図６は、図１に示した送信電極２及び受信電極３の選択状態及び非選択状態での電位を示す図である。前記のように、送信電極２の選択時に送信電極２に与えられる選択時電位Ｖｓａは、０Ｖと最大値Ｖｐとの間で変化し、送信電極２の非選択時に送信電極２に与えられる非選択時電位Ｖｓｂは、接地電位である０Ｖとなる。
【００４３】
一方、受信電極３の選択時に受信電極３に与えられる選択時電位Ｖｒａは、受信信号処理部２２のオペアンプＯＰＡと通電されることで接地電位である０Ｖとなり、受信電極３の非選択時に受信電極３に与えられる非選択時電位Ｖｒｂも、接地電位である０Ｖとなり、受信電極３の選択時と非選択時とで電位差が生じない。
【００４４】
図７は、図１に示した送信電極２に印加される駆動信号、受信部６でのＩＶ変換後の出力信号、及び受信部６での処理タイミングを規定する制御信号を示す波形図である。送信部５は、送信電極２を１本ずつ選択してその送信電極２に駆動信号（パルス信号）を印加し、受信部６は、送信電極２の１本に駆動信号を印加する間に、受信電極３を１本ずつ選択してその受信電極３の充放電電流信号を受信してＩＶ変換し、このとき、送信電極２には１つの電極交点について複数（ここでは１２）のパルス波が印加される。
【００４５】
受信部６の電極選択部２１は、制御部７から出力される制御信号に基づいて受信電極３の選択を切り換え、制御信号がローからハイに変化するタイミングでスイッチング素子ＳＷが切り換えられて次の受信電極３が選択される。また、積分部３４では、制御信号に基づいて積分処理が実行され、制御信号がハイからローに変化するタイミングで積分処理が開始され、制御信号がローからハイに変化するタイミングで積分処理が終了する。
【００４６】
図７（Ａ）は、本発明による実施例を示す。ここでは、前記のように、受信電極３の選択時電位Ｖｒａと非選択時電位Ｖｒｂとが同一であり、受信電極３には選択の有無に関係なく接地電位（０Ｖ）が与えられるため、受信電極３が切り換えられる際に切換ノイズはほとんど発生しない。このため、切換ノイズが収まるまでの待ち時間（積分停止期間）が短くて済み、受信電極３の選択切換を高速に行うことができる。
【００４７】
図７（Ｂ）は、ＩＶ変換部３１に単電源方式のオペアンプを用いた比較例を示す。単一電源方式のオペアンプでは、０Ｖを中心にして正負に振幅する電圧信号を得るには、基準電位（オペアンプの動作電位）を正電位とする必要があるが、この場合、イマジナルショートにより、受信電極３の選択時に受信電極３に与えられる選択時電位Ｖｒａが、オペアンプの基準電位と同じ正電位（例えば２Ｖ）となる。
【００４８】
一方、受信電極３の非選択時には、接地電位である非選択時電位Ｖｒｂ（０Ｖ）が与えられる。したがって、受信電極３の選択時と非選択時とで大きな電位差が生じるため、受信電極３が切り換えられる際に大きな切換ノイズが発生し、この切換ノイズが積分値に含まれると、タッチ位置の誤検出を招く。そこで、切換ノイズが収まるまでの待ち時間（積分停止期間）を長く確保する必要があり、これにより受信電極３の切り換えに時間を要するため、タッチ位置の検出が低速となる。
【００４９】
図８は、図１に示した送信電極２及び受信電極３の電位の状況を示す模式図である。前記のように、受信電極３の選択時電位Ｖｒａと非選択時電位Ｖｒｂは共に接地電位（０Ｖ）となる。したがって、選択状態にある受信電極３とこれに隣り合う非選択状態にある受信電極３との間には電位差が生じないため、マイグレーションは問題とならない。
【００５０】
また、送信電極２の非選択時電位Ｖｓｂは、受信電極３の選択時電位Ｖｒａ及び非選択時電位Ｖｒｂと同じ接地電位（０Ｖ）となる。したがって、送信電極２が非選択状態となる期間では、送信電極２と受信電極３との間には電位差が生じないため、マイグレーションは問題とならない。
【００５１】
一方、送信電極２の選択時電位Ｖｓａは、０Ｖと最大値Ｖｐとの間で変化することから、送信電極２が選択状態となる期間では、送信電極２と受信電極３との間には電位差が発生するため、送信電極２と受信電極３とが交差する電極交点の周辺でマイグレーションが問題となる。また、選択状態にある送信電極２とこれに隣り合う非選択状態にある送信電極２との間にも電位差が発生するため、送信電極間のマイグレーションが問題となる。
【００５２】
しかしながら、前記のように、送信電極２の本数を１２０本とすると、図６に示したように、その逆数である１／１２０の割合（デューティ比）でしか送信電極２は選択状態とならない。したがって、送信電極２と受信電極３との間に電位差が発生し、また隣り合う送信電極２間で電位差が生じる期間は極めて短時間となる。このため、マイグレーションの発生を大幅に抑制することができる。
【００５３】
なお、前記の例では、受信電極３の選択時電位Ｖｒａ及び非選択時電位Ｖｒｂと、送信電極２の非選択時電位Ｖｓｂとを同一としたが、これらの電位は厳密に一致させる必要はない。これらの電位を十分に近付ければ、マイグレーションの発生を抑制することができ、また、受信電極３の選択時電位Ｖｒａと非選択時電位Ｖｒｂとを十分に近付ければ、切換ノイズを低減することができる。
【産業上の利用可能性】
【００５４】
本発明にかかるタッチパネル装置は、製造コストの上昇や利便性の低下を招くことなく、マイグレーションの発生を抑制すると共に、タッチ位置検出の高速化を図ることができる効果を有し、静電容量方式、特に相互容量方式によりタッチ位置を検出するタッチパネル装置などとして有用である。
【符号の説明】
【００５５】
１  タッチパネル装置
２  送信電極
３  受信電極
４  パネル本体
５  送信部
６  受信部
７  制御部
１１  駆動信号発生部
１２  電極選択部
２１  電極選択部
２２  受信信号処理部
３１  ＩＶ変換部
Ｖｓａ  送信電極の選択時電位
Ｖｓｂ  送信電極の非選択時電位
Ｖｒａ  受信電極の選択時電位
Ｖｒｂ  受信電極の非選択時電位
Ｖｒｅｆ  基準電位
【図１】
2011243081.tif 000003
【図２】
2011243081.tif 000004
【図３】
2011243081.tif 000005
【図４】
2011243081.tif 000006
【図５】
2011243081.tif 000007
【図６】
2011243081.tif 000008
【図７】
2011243081.tif 000009
【図８】
2011243081.tif 000010